(57)【要約】【課題】  リサイクル可能な建築用型枠の円滑かつ効率的管理を可能とする型枠管理装置、端末装置、型枠管理プログラム、端末プログラムおよび型枠管理方法を提供する。【解決手段】  型枠管理情報を建築用型枠ごとに記憶する型枠データベースを有する（型枠管理業者１Ａの）型枠管理装置１Ａは、建築用型枠に付された電子タグへのアクセスが可能な（取扱業者１Ｂ−１の）端末装置１Ｂに対して、型枠管理情報を含む受注情報を送信する。端末装置１Ｂは、型枠管理装置１Ａから受信した受注情報または入力された型枠管理情報を建築用型枠の電子タグに書き込むと共に、電子タグから型枠管理情報を読み出して型枠管理装置１Ａに送信する。型枠管理装置１Ａは、端末装置１Ｂに送信した型枠管理情報または端末装置１Ｂから受信した型枠管理情報に基づいて型枠データベースの内容を更新することにより建築用型枠を管理する。【選択図】  図１
2006291655.tif 000002
【特許請求の範囲】
【請求項１】
建築用型枠に付された電子タグへのアクセスが可能な端末装置に対して、前記電子タグに書き込むべき型枠管理情報を送信する送信手段と、
前記端末装置によって前記電子タグから読み出された型枠管理情報を受信する受信手段と、
型枠管理情報を建築用型枠ごとに記憶する型枠データベースと、
前記送信手段により送信した型枠管理情報または前記受信手段により受信した型枠管理情報に対応して前記型枠データベースの内容を更新することにより建築用型枠を管理する管理手段と
を備えたことを特徴とする型枠管理装置。
【請求項２】
前記型枠管理情報は、型枠識別情報と、属性情報と、使用履歴情報とを含む
ことを特徴とする請求項１に記載の型枠管理装置。
【請求項３】
前記属性情報は、型枠タイプ、製造年月日および取扱業者を含む
ことを特徴とする請求項２に記載の型枠管理装置。
【請求項４】
前記管理手段は、建築用型枠の受注情報が入力されたときに、この受注情報に基づいて建築用型枠の発注情報を生成し、
前記送信手段は、生成された発注情報を前記端末装置へ送信する
ことを特徴とする請求項１に記載の型枠管理装置。
【請求項５】
前記管理手段は、
入力された受注情報に基づいて前記型枠データベースを検索し、該当する型枠のリストを出力し、
前記リストの内容に基づいて前記発注情報を生成する
ことを特徴とする請求項４に記載の型枠管理装置。
【請求項６】
前記受信手段は、前記型枠管理装置から受け取った発注情報に該当する建築用型枠に付された電子タグ内の型枠管理情報を更新した端末装置から、使用開始時更新通知を受信し、
前記管理手段は、前記使用開始時更新通知に応じて前記型枠データベースの型枠管理情報を更新する
ことを特徴とする請求項４に記載の型枠管理装置。
【請求項７】
前記管理手段は、前記使用開始時更新通知に応じて前記型枠データベースの型枠管理情報を更新したときに、その建築用型枠の提供に係る手数料金の支払いを請求する請求情報を生成する
ことを特徴とする請求項６に記載の型枠管理装置。
【請求項８】
前記受信手段は、使用現場から回収された建築用型枠に付された電子タグ内の型枠管理情報を更新した端末装置から、使用終了時更新通知を受信し、
前記管理手段は、前記使用終了時更新通知に応じて前記型枠データベースの型枠管理情報を更新する
ことを特徴とする請求項４に記載の型枠管理装置。
【請求項９】
前記受注情報は、発注者、型枠タイプ、数量、使用開始日および使用終了日を示す情報を含む
ことを特徴とする請求項４に記載の型枠管理装置。
【請求項１０】
前記管理手段は、前記型枠データベースに記憶された型枠管理情報に基づいて、建築用型枠の使用可否を判定し、その判定結果を出力する
ことを特徴とする請求項１に記載の型枠管理装置。
【請求項１１】
前記管理手段は、前記判定結果に基づいて前記型枠データベース内の該当する型枠管理情報を選択的に更新し、更新が生じた場合には、その更新内容を、その更新に係る建築用型枠に付された電子タグを取り扱う端末装置に送信する
ことを特徴とする請求項１０に記載の型枠管理装置。
【請求項１２】
建築用型枠に関する型枠管理情報を格納するための型枠データベースを有する型枠管理装置から前記型枠管理情報を受信する受信手段と、
型枠管理情報の入力を受け付ける入力手段と、
前記受信手段により受信され、または前記入力手段により入力された型枠管理情報を建築用型枠に付された電子タグに書き込む書込手段と、
前記電子タグから型枠管理情報を読み出す読出手段と、
前記読出手段により前記電子タグから読み出した型枠管理情報を前記型枠管理装置に送信する送信手段と
を備えたことを特徴とする端末装置。
【請求項１３】
前記受信手段は、前記型枠管理装置から発注情報を受け取り、
前記書込手段は、前記発注情報に基づいて、該当する建築用型枠に付された電子タグ内の型枠管理情報の更新を行い、
前記送信手段は、使用開始時更新通知を前記型枠管理装置に送信する
ことを特徴とする請求項１２に記載の端末装置。
【請求項１４】
前記入力手段は、使用現場から回収された建築用型枠に関する型枠管理情報を受け付け、
前記書込手段は、前記入力手段が受け付けた型枠管理情報に基づいて、前記回収された建築用型枠に付された電子タグ内の型枠管理情報の更新を行い、
前記送信手段は、使用終了時更新通知を前記型枠管理装置に送信する
ことを特徴とする請求項１２または請求項１３に記載の端末装置。
【請求項１５】
建築用型枠に付された電子タグへのアクセスが可能な端末装置に対して、前記電子タグに書き込むべき型枠管理情報を送信するステップと、
前記端末装置によって前記電子タグから読み出された型枠管理情報を受信するステップと、
型枠管理情報を建築用型枠ごとに型枠データベースに記憶させるステップと、
前記端末装置に送信した型枠管理情報または前記端末装置から受信した型枠管理情報に対応して前記型枠データベースの内容を更新することにより建築用型枠を管理するステップと
をコンピュータに実行させることを特徴とする型枠管理プログラム。
【請求項１６】
建築用型枠に関する型枠管理情報を格納するための型枠データベースを有する型枠管理装置から前記型枠管理情報を受信するステップと、
型枠管理情報の入力を受け付けるステップと、
前記前記型枠管理装置から受信され、または入力が受け付けられた型枠管理情報を建築用型枠に付された電子タグに書き込むステップと、
前記電子タグから型枠管理情報を読み出すステップと、
前記電子タグから読み出した型枠管理情報を前記型枠管理装置に送信するステップと
をコンピュータに実行させることを特徴とする端末プログラム。
【請求項１７】
建築用型枠に関する型枠管理情報を格納するための型枠データベースを有する型枠管理装置と、建築用型枠に付された電子タグへのデータアクセスが可能な端末装置とを用意し、
前記型枠管理装置から前記端末装置に型枠管理情報を送信し、
前記端末装置において、前記型枠管理装置から送信された型枠管理情報を受信し、または型枠管理情報の入力を受け付け、この受信または入力された型枠管理情報に基づいて前記電子タグ内の型枠管理情報を更新すると共に、その更新された型枠管理情報を読み出して前記型枠管理装置に送信し、
前記型枠管理装置において、前記端末装置に送信した型枠管理情報または端末装置から受信した型枠管理情報に対応して前記型枠データベースの内容を更新することにより建築用型枠を管理する
ことを特徴とする型枠管理方法。
【発明の詳細な説明】
【技術分野】
【０００１】
本発明は、建築物躯体の成形に用いられる建築用型枠を管理するための型枠管理装置および型枠管理プログラム、そのような型枠管理装置（型枠管理プログラム）と連携して用いられる端末装置および端末プログラム、ならびにそのような型枠管理装置および端末装置を用いて建築用型枠を管理する型枠管理方法に関する。
【背景技術】
【０００２】
従来より、東南アジアの熱帯雨林を伐採して得られた南洋材合板が、建築用型枠として使用されており、３〜４回再使用されただけで産業廃棄物として処理されている（非特許文献１）。このことは、二酸化炭素を吸収する光合成によりＣＯ2 を固定する役目を果たしている広大な面積の熱帯雨林の減少に拍車をかける結果を招いている。近年、このような環境破壊を抑制し、熱帯雨林の保護を図ると共にＣＯ2 を削減する観点から、従来の合板型枠に代わって、環境に配慮した型枠を導入することが望まれている。
【非特許文献１】畑中和穂  著  「図説  建築の型わく工事」理工学社  2003年8 月第1 版第27刷発行
【発明の開示】
【発明が解決しようとする課題】
【０００３】
このような環境に配慮した型枠としては、例えば、プラスチックなどの任意の形に成型できる高分子樹脂材料を用いて構成した建築用型枠や、鉄，アルミニウムまたはカーボンなどの基材に高分子樹脂材料をコーティングして構成した建築用型枠が考えられる。この種の建築用型枠は、耐久性に優れ、２０〜３０回以上もの再使用が可能なうえ、損傷・劣化などにより再使用できなくなった場合には、再び型枠の原料としてリサイクルできる自己完結型の理想的なものといえる。
【０００４】
上記のようなリサイクル可能な建築用型枠を普及させるには、これを取り扱う取扱業者間の垣根を越えた総合的な型枠流通管理体制の構築が喫緊の課題である。すなわち、建築用型枠の規格の策定をはじめとして、個々の型枠の保有、提供および回収を含めた流通機構、ならびに耐用限度を越えた型枠をリサイクルするための再生利用システム等々、ユーザである建築業界にとっての使い勝手の良さを確保しつつ、型枠取扱業者間の連携を円滑に進めることが必要不可欠である。
【０００５】
本発明はかかる問題点に鑑みてなされたものであり、その目的は、リサイクル可能な建築用型枠を円滑かつ効率的に管理することを可能とする型枠管理装置、端末装置、型枠管理プログラム、端末プログラムおよび型枠管理方法を提供することにある。
【課題を解決するための手段】
【０００６】
本発明の型枠管理装置は、建築用型枠に付された電子タグへのアクセスが可能な端末装置に対して、電子タグに書き込むべき型枠管理情報を送信する送信手段と、端末装置によって電子タグから読み出された型枠管理情報を受信する受信手段と、型枠管理情報を建築用型枠ごとに記憶する型枠データベースと、送信手段により送信した型枠管理情報または受信手段により受信した型枠管理情報に対応して型枠データベースの内容を更新することにより建築用型枠を管理する管理手段とを備えたものである。
【０００７】
本発明の型枠管理プログラムは、建築用型枠に付された電子タグへのアクセスが可能な端末装置に対して、電子タグに書き込むべき型枠管理情報を送信するステップと、端末装置によって電子タグから読み出された型枠管理情報を受信するステップと、型枠管理情報を建築用型枠ごとに型枠データベースに記憶させるステップと、端末装置に送信した型枠管理情報または端末装置から受信した型枠管理情報に対応して型枠データベースの内容を更新することにより建築用型枠を管理するステップとをコンピュータに実行させるようにしたものである。
【０００８】
ここで、「建築用型枠」は、建築物のコンクリート躯体を成形するための型枠である。「電子タグ」は、情報を自由に読み書きすることが可能なＩＣ（Integrated Circuit）と、無線アンテナとを含んで構成された微小なチップであり、端末装置から発せられる所定の周波数の電磁波を介して情報を書き込んだり読み出したりすることができるものである。「型枠管理情報」は、例えば個々の建築用型枠の型枠識別情報と、属性情報と、使用履歴情報とを含むものである。「型枠識別情報」は、個々の建築用型枠を識別するための固有情報である。「属性情報」は、例えば、型枠タイプ（例えば、サイズ、材質、構造等）、製造年月日および取扱業者（例えば、リース業者や販売業者等の型枠保有業者）を含んだ情報である。「使用履歴情報」は、過去の使用履歴の他、現在の使用状況などを含む情報である。
【０００９】
本発明の型枠管理装置または型枠管理プログラムでは、電子タグに書き込むべき型枠管理情報が端末装置に送信される一方、電子タグから読み出された型枠管理情報が端末装置から受信される。型枠管理情報は、建築用型枠ごとに型枠データベースに記憶される。端末装置に送信した型枠管理情報または端末装置から受信した型枠管理情報に対応して、型枠データベースの内容が更新される。これにより、型枠データベース上の個々の建築用型枠の型枠管理情報と、実在する個々の建築用型枠に付された電子タグ内の型枠管理情報との整合性が維持されるように建築用型枠の管理が行われる。
【００１０】
本発明の型枠管理装置では、建築用型枠の受注情報が入力されたときに管理手段がこの受注情報に基づいて建築用型枠の発注情報を生成し、生成された発注情報を送信手段が端末装置へ送信するように構成してもよい。その際、管理手段は、入力された受注情報に基づいて型枠データベースを検索し、該当する（受注情報に合致し利用可能な型枠に関する）型枠管理情報のリストを出力し、このリストの中から選択された型枠管理情報に基づいて発注情報を生成するように構成することが可能である。なお、受注情報には、例えば、発注者（例えば、建築業者等の型枠使用者）、型枠タイプ、数量、使用開始日（例えばリース開始日）および使用終了日（例えばリース終了日）を示す情報が含まれるようにすることが好ましい。
【００１１】
また、本発明の型枠管理装置では、型枠管理装置から受け取った発注情報に該当する建築用型枠に付された電子タグ内の型枠管理情報を更新した端末装置から受信手段が使用開始時更新通知を受信し、この使用開始時更新通知に応じて、管理手段が型枠データベースの型枠管理情報を更新するように構成することも可能である。ここで、使用開始時更新通知とは、建築用型枠の使用開始（例えばリース開始）時に端末装置が型枠管理装置に送信する通知であって、使用開始に伴って型枠管理情報を更新したことを示す情報と、更新後の型枠管理情報とを含むものである。
【００１２】
また、本発明の型枠管理装置では、管理手段が、使用開始時更新通知に応じて型枠データベースの型枠管理情報を更新したときに、その建築用型枠の提供に係る手数料金の支払いを請求する請求情報を生成するように構成することが可能である。
【００１３】
また、本発明の型枠管理装置では、使用現場から回収された建築用型枠に付された電子タグ内の型枠管理情報を更新した端末装置から受信手段が使用終了時更新通知を受信し、この使用終了時更新通知に応じて管理手段が型枠データベースの型枠管理情報を更新するように構成することが可能である。ここで、使用終了時更新通知とは、建築用型枠の使用終了（例えばリース終了）時に端末装置が型枠管理装置に送信する通知であって、使用終了に伴って型枠管理情報を更新したことを示す情報と、更新後の型枠管理情報とを含むものである。
【００１４】
また、本発明の型枠管理装置では、例えば、管理手段が、型枠データベースに記憶された型枠管理情報に基づいて建築用型枠の使用可否を判定し、その判定結果を出力するように構成することも可能である。使用可否の判定は、例えば、使用状況、型枠状態、使用回数、使用期間等を所定の耐久基準に照らし、建築用型枠が使用続行できるだけの強度や精度を保持しているか否かを判定することにより行う。この場合において、管理手段が、上記の判定結果に基づいて型枠データベース内の該当する型枠管理情報を選択的に更新するように構成することが可能である。さらに、そのような更新が生じた場合には、その更新内容を、その更新に係る建築用型枠に付された電子タグを取り扱う端末装置に送信するように構成することが可能である。
【００１５】
本発明の端末装置は、建築用型枠に関する型枠管理情報を格納するための型枠データベースを有する型枠管理装置から型枠管理情報を受信する受信手段と、型枠管理情報の入力を受け付ける入力手段と、受信手段により受信され、または入力手段により入力された型枠管理情報を建築用型枠に付された電子タグに書き込む書込手段と、電子タグから型枠管理情報を読み出す読出手段と、読出手段により電子タグから読み出した型枠管理情報を型枠管理装置に送信する送信手段とを備えたものである。
【００１６】
本発明の端末プログラムは、建築用型枠に関する型枠管理情報を格納するための型枠データベースを有する型枠管理装置から型枠管理情報を受信するステップと、型枠管理情報の入力を受け付けるステップと、型枠管理装置から受信され、または入力が受け付けられた型枠管理情報を建築用型枠に付された電子タグに書き込むステップと、電子タグから型枠管理情報を読み出すステップと、電子タグから読み出した型枠管理情報を型枠管理装置に送信するステップとをコンピュータに実行させるようにしたものである。
【００１７】
本発明の端末装置または端末プログラムでは、型枠管理装置から受信され、または入力が受け付けられた型枠管理情報が、建築用型枠に付された電子タグに書き込まれる一方、この電子タグに書き込まれた型枠管理情報が読み出されて型枠管理装置に送信される。これにより、型枠管理装置の側で保有している個々の建築用型枠の型枠管理情報と、実在する個々の建築用型枠に付された電子タグ内の型枠管理情報との整合性が確保される。
【００１８】
本発明の型枠管理方法は、建築用型枠に関する型枠管理情報を格納するための型枠データベースを有する型枠管理装置と建築用型枠に付された電子タグへのデータアクセスが可能な端末装置とを用意し、型枠管理装置と端末装置との間で型枠管理情報を送受信するように構成したものである。端末装置の側では、型枠管理装置から送信された型枠管理情報を受信し、または型枠管理情報の入力を受け付け、この受信または入力された型枠管理情報に基づいて電子タグ内の型枠管理情報を更新すると共に、その更新された型枠管理情報を読み出して型枠管理装置に送信する。一方、型枠管理装置の側では、端末装置に送信した型枠管理情報または端末装置から受信した型枠管理情報に対応して型枠データベースの内容を更新することにより建築用型枠を管理する。これにより、型枠管理装置の側で保有している個々の建築用型枠の型枠管理情報と、実在する個々の建築用型枠に付された電子タグ内の型枠管理情報との整合性が確保される。
【発明の効果】
【００１９】
本発明の型枠管理装置、型枠管理方法および型枠管理プログラムによれば、電子タグに書き込むべき型枠管理情報を端末装置に送信する一方、電子タグから読み出された型枠管理情報を端末装置から受信し、端末装置に送信した型枠管理情報または端末装置から受信した型枠管理情報に対応して型枠データベースの内容を更新するようにしたので、型枠データベース上の個々の建築用型枠の型枠管理情報と、実在する個々の建築用型枠に付された電子タグ内の型枠管理情報との整合性が維持されるように建築用型枠の管理が行われる。その結果、建築用型枠の円滑かつ効率的な管理が可能となるので、環境負荷が少なくリサイクル可能な建築用型枠の普及が期待できる。具体的には、例えば発注情報が型枠管理装置から端末装置へ送信されるようにした場合には、型枠管理装置を保有する型枠管理業者が、端末装置を保有する複数の取扱業者をとりまとめて、発注者からの発注を型枠管理装置を用いて一元的に取り扱うことも可能となる。したがって、各取扱業者にとっては、顧客確保のためにあらゆるタイプの型枠を自ら保有しておかなければならないという在庫負担が軽減される。また、例えば履歴管理を行うことによって個々の建築用型枠のトレーサビリティを実現するようにした場合には、耐用限界を超えた型枠を提供してしまうという不都合を回避できる。一方、発注者にとっては、建築用型枠を発注するにあたって、数ある取扱業者がそれぞれ保有する建築用型枠のタイプをあらかじめ取扱業者ごとに把握しておくことや、各取扱業者に型枠在庫の問い合わせを行う手間等が不要となる。
【００２０】
本発明の端末装置および端末プログラムによれば、型枠管理装置から受信され、または入力が受け付けられた型枠管理情報を建築用型枠に付された電子タグに書き込むと共に、この電子タグに書き込まれた型枠管理情報を読み出して型枠管理装置に送信するようにしたので、型枠管理装置の側で保有している個々の建築用型枠の型枠管理情報と、実在する個々の建築用型枠に付された電子タグ内の型枠管理情報との整合性の確保が疎漏なく行われる。
【発明を実施するための最良の形態】
【００２１】
以下、本発明の実施の形態について、図面を参照して詳細に説明する。
【００２２】
図１は、本発明の一実施の形態に係る型枠管理方法が適用される型枠管理システムを表すものである。この型枠管理システムは、型枠管理業者によって使用される型枠管理装置１Ａと、取扱業者によって使用される端末装置１Ｂとを含む情報ネットワークシステムとして構築されたものである。
【００２３】
型枠管理業者１Ａ−１は、この型枠管理システムに参加している複数の取扱業者１Ｂ−１〜１Ｂ−３等をとりまとめると共に、型枠ユーザ１Ｃ−１からの建築用型枠２（図３）の受注業務を型枠管理装置１Ａを用いて一元的に取り扱う受注代行業者のことであり、受注した注文を各取扱業者１Ｂ−１〜１Ｂ−３等に振り分ける立場にある。取扱業者１Ｂ−１〜１Ｂ−３等は、建築用型枠２を保有・提供する業者（例えばリース業者や販売業者等）のことであり、型枠管理装置１Ａから端末装置１Ｂへ送信された発注情報に応じて型枠ユーザ１Ｃ−１へ所望の建築用型枠２を提供（リースまたは販売）する立場にある。ここでは、説明の都合上、取扱業者１Ｂ−１〜１Ｂ−３等はリース業者であるとする。型枠ユーザ１Ｃ−１は、建築現場で建築用型枠２を使用する型枠使用業者（例えば、建築業者）のことであり、所望の建築用型枠２を型枠管理業者１Ａ−１へ発注すると共に、取扱業者１Ｂ−１〜１Ｂ−３等から所望の建築用型枠２の提供を受ける立場にある。
【００２４】
図２は、型枠管理装置１Ａの機能構成を表すものである。この型枠管理装置１Ａは、制御部１０Ａと、記憶部１１Ａと、通信部１２Ａと、表示部１３Ａと、入力部１４Ａとを備えている。制御部１０Ａは、記憶部１１Ａ、通信部１２Ａ、表示部１３Ａおよび入力部１４Ａとそれぞれ接続されている。
【００２５】
図３は、端末装置１Ｂの機能構成を表すものである。この端末装置１Ｂは、制御部１０Ｂと、記憶部１１Ｂと、通信部１２Ｂと、表示部１３Ｂと、入力部１４Ｂと、読出部１５Ｂと、書込部１６Ｂとを備えている。制御部１０Ｂは、記憶部１１Ｂ、通信部１２Ｂ、表示部１３Ｂ、入力部１４Ｂ、読出部１５Ｂおよび書込部１６Ｂとそれぞれ接続されている。なお、読出部１５Ｂおよび書込部１６Ｂについては、図示のように端末装置本体に有線接続するのではなく、端末装置本体とは別体のハンディータイプのリーダライタユニットとして構成すると共に、このリーダライタユニットと端末装置本体との間を無線通信路により接続するようにしてもよい。
【００２６】
型枠管理装置１Ａの制御部１０Ａ（管理手段）および端末装置１Ｂの制御部１０Ｂは、それぞれ、プログラムの命令を解釈し、実行するためのもので、例えばＣＰＵ（Central Processing Unit ）により構成される。型枠管理装置１Ａの記憶部１１Ａには、型枠管理プログラム１１Ａ−１と、型枠データベース１１Ａ−２とが保存されている。端末装置１Ｂの記憶部１１Ｂには、端末プログラム１１Ｂ−１が保存されている。
【００２７】
型枠管理プログラム１１Ａ−１は、後述する建築用型枠２（図３参照）を管理するための一連の手順を制御部１０Ａに実行させるためのものであり、端末プログラム１１Ｂ−１は、建築用型枠２に付された電子タグ３（図４参照）へのデータアクセスや型枠管理装置１Ａとの間の通信を行うための一連の手順を制御部１０Ｂに実行させるためのものである。なお、これらの一連の手順の詳細については後述する。
【００２８】
図４に示したように、建築用型枠２は、建築物のコンクリート躯体を成形するための型枠であり、例えば高分子樹脂材料を用いた成形体や、鉄，アルミニウムまたはカーボンなどの基材に高分子樹脂材料をコーティングした複合体として構成されている。電子タグ３は、情報を自由に読み書きすることが可能なメモリＩＣと、無線アンテナとを含んで構成された微小なチップであり、端末装置１Ｂの読出部１５Ｂまたは書込部１６Ｂとの間で所定の周波数の電磁波を利用した通信を行うことにより、メモリＩＣ内の情報を読み出したり、書き込んだりすることができるようになっている。なお、この電子タグ３は、建築用型枠２の通常の使用に際して邪魔にならない部位に付されることが好ましく、また、屋外での使用に耐え得るように十分な耐水性、耐候性および耐光性を備えた構造にすることが望ましい。
【００２９】
型枠管理装置１Ａの型枠データベース１１Ａ−２は、図５に示したように、個々の建築用型枠２に関する型枠管理情報２０を整理・統合し、検索しやすくしたファイルである。この型枠管理情報２０は、例えば、型枠ＩＤ２１（型枠識別情報）と、属性情報２２と、使用履歴情報２３とを含んで構成される。
【００３０】
型枠ＩＤ２１は、個々の建築用型枠２を識別するための固有情報である。属性情報２２は、例えば、取扱業者２２Ａ（例えば、リース者や販売業者等の型枠保有業者）、建築用型枠２のタイプを示す型枠タイプ２２Ｂ（例えば、サイズ、材質、構造等）、および製造年月日２２Ｃなどを含んで構成される。
【００３１】
使用履歴情報２３は、例えば、過去の使用履歴の他、現在の使用状況などを含む情報であり、例えば、発注者２３Ａの名前・名称、使用開始日２３Ｂ、使用終了日２３Ｃ、および実際に使用が終了している状態“Ｙ”か使用中の状態“Ｎ”かを表すステータスフラグ２３Ｄからなるデータセットを使用回数２３Ｅ分だけ含むものである。そして、図６に示したように、個々の型枠タイプ２２Ａ（図５中のα，β）ごとに、繰り返し利用可能な回数（耐久回数２４）が設定されている。この耐久回数２４は、通常の使用環境・保守状況の下で使用された場合を想定して選定された値である。したがって、例えば通常よりも過酷な環境で使用された場合や、適切な保守がなされていなかった場合には、耐久回数２４を超えていなくても既に利用不可能な場合もあり得る。このような事態に対応するためには、使用履歴情報２３の中に、各使用回における使用環境や保守状況を示す情報をも加えておき、個々の建築用型枠２が使用続行できるだけの強度や精度を保持しているか否かを判定するようにすればよい。
【００３２】
型枠管理装置１Ａの通信部１２Ａと端末装置１Ｂの通信部１２Ｂとは、図示しない通信網（例えば、ＩＰ（Internet Protocol ）網）を介して相互に通信可能である。具体的には、型枠管理装置１Ａにおいて入力部１４Ａから入力された型枠管理情報２０や型枠データベース１１Ａ−２から抽出された型枠管理情報２０が、通信部１２Ａから端末装置１Ｂの通信部１２Ｂへ送信されると共に、端末装置１Ｂにおいて入力部１４Ｂから入力された型枠管理情報２０や読出部１５Ｂから読み出された型枠管理情報２０が、通信部１２Ｂから型枠管理装置１Ａの通信部１２Ａへ送信されるようになっている。
【００３３】
型枠管理装置１Ａの表示部１３Ａおよび端末装置１Ｂの表示部１３Ｂは、それぞれ、型枠管理プログラム１１Ａ−１または端末プログラム１１Ｂ−１により処理された結果やデータ入力用のダイヤログ等を表示するためのもので、例えば液晶表示装置等のディスプレイデバイスで構成される。型枠管理装置１Ａの入力部１４Ａおよび端末装置１Ｂの入力部１４Ｂは、それぞれ、ユーザからの情報をデジタルデータとして型枠管理装置１Ａまたは端末装置１Ｂ内部に取り込むための装置で、例えばキーボードやマウス、スキャナなどから構成される。端末装置１Ｂの読出部１５Ｂは、例えば電磁波を利用して、個々の電子タグ３に記憶されている型枠管理情報２０を読み出すためのものであり、書込部１６Ｂは、例えば電磁波を利用して、個々の電子タグ３に型枠管理情報２０を記憶させるためのものである。
【００３４】
続いて、図７ないし図１３を参照して、本実施の形態の型枠管理装置１Ａおよび端末装置１Ｂの動作について説明する。ここで、図７ないし図１０は、型枠管理装置１Ａまたは端末装置１Ｂにおける動作の流れを、型枠管理業者１Ａ−１、取扱業者１Ｂ−１および型枠ユーザ１Ｃ−１（発注者）による操作や処理と共に表したものである。図１１および図１２は、それぞれ、型枠管理装置１Ａの表示部に表示された受注情報入力フォームおよび検索結果リスト（後述）の一例を表し、図１３は、後述する発注情報の一構成例を表すものである。
【００３５】
まず、型枠管理装置１Ａにおいて、型枠管理プログラム１１Ａ−１を立ち上げると、型枠管理装置１Ａは受注情報入力待ち状態または更新通知受信待ち状態となる。一方、端末装置１Ｂにおいて、端末プログラム１１Ｂ−１を立ち上げると、端末装置１Ｂは、発注情報受信待ち状態または回収情報入力待ち状態となる。このようにして、型枠管理装置１Ａおよび端末装置１Ｂを動作させるにあたっての準備が完了する。
【００３６】
型枠管理業者１Ａ−１は、型枠ユーザ１Ｃ−１から建築用型枠２の発注を受けると（図７ステップＳ１）、型枠管理装置１Ａの表示部１３Ａに表示された受注情報入力フォーム（図１１参照）から、受注情報を入力部１４Ａを介して入力する（ステップＳ２）。これにより、型枠管理装置１Ａによって受注情報が受け付けられる（ステップＳ３）。ここで入力される受注情報には、例えば図１１に示したように、型枠タイプ、枚数、使用開始日、使用終了日等が含まれる。
【００３７】
続いて、型枠管理業者１Ａ−１は、例えば受注情報入力フォームの検索ボタン（図１１）をクリックすることにより、受注情報に基づいた型枠管理情報２０のリストの出力を型枠管理装置１Ａへ要求する（ステップＳ４）。すると、型枠管理装置１Ａの制御部１０Ａは、受注情報のうちの型枠タイプを検索キーとして型枠データベース１１Ａ−２（図２，図５）を検索し（ステップＳ５）、図１２に示したように、検索条件に該当する型枠を型枠タイプごとにリストアップした検索結果リストを表示部１３Ａに出力する（ステップＳ６、図１２参照）。ここで、「検索条件に該当する型枠」とは、受注情報に合致し、耐用限界を超えておらず、かつ利用可能な状態にある建築用型枠を意味する。具体的には、図５の型枠データベース１１Ａ−２において、型枠タイプが合致し、使用回数２３Ｅが規定回数（耐用限界）以下であり、かつステータスフラグが“Ｙ”（＝使用終了状態）となっている建築用型枠が「該当する型枠」として判定される。
【００３８】
図１２に示した例では、発注者である型枠ユーザ１Ｃ−１から、型枠タイプαの建築用型枠が２００枚と型枠タイプβの建築用型枠が１００枚とが注文されている状況に対して、取扱業者１Ｂ−１が型枠タイプαの建築用型枠を１５０枚、取扱業者１Ｂ−２が型枠タイプαの建築用型枠を８０枚保有し、取扱業者１Ｂ−３が型枠タイプβの建築用型枠を１２０枚保有していることを表している。
【００３９】
型枠管理業者１Ａ−１は、そのリストの中から最適な取扱業者を選択し（ステップＳ７）。取扱業者ごとに発注枚数を入力することにより、受注した注文を振り分ける。これにより、取扱業者の選定および各取扱業者ごとの発注枚数が型枠管理装置１Ａによって受け付けられる（ステップＳ８）。なお、制御部１０Ａが自動的に取扱業者の選定と各取扱業者ごとの発注枚数の決定とを行って、図１２の発注枚数の欄に推奨データとして表示すると共に、必要に応じて、型枠管理業者１Ａ−１が、その自動表示された取扱業者や発注枚数を修正・変更できるようにしてもよい。
【００４０】
次に、型枠管理業者１Ａ−１は、注文振り分けを決定したのち、例えば取扱業者発注ボタン（図１２）をクリックすることにより、取扱業者１Ｂ−１〜１Ｂ−３等への発注情報の送信を要求する（ステップＳ９）。型枠管理装置１Ａの制御部１０Ａは、Ｓ８において検索結果リスト画面（図１２）から入力された内容に基づいて、選定された取扱業者ごとに、型枠タイプごとの発注枚数等を指定した発注情報を生成し（ステップＳ１０）、これらの発注情報を、選定された各取扱業者の端末装置１Ｂに通信部１２Ａを介してそれぞれ送信する（ステップＳ１１）。この発注情報Ｈは、図１３に示したように、発注指令Ｈ１と、発注識別情報Ｈ２と、発注者を示す情報Ｈ３と、発注情報本体部Ｈ４とを含んで構成される。発注指令Ｈ１は、この送信情報が所定の型枠タイプの建築用型枠の発注を要求するものであることを示すコマンドであり、発注識別情報Ｈ２は、個々の発注情報を識別するための固有情報である。発注情報本体部Ｈ４は、発注枚数４１と、発注枚数分の型枠ＩＤ４２と、使用開始日４３と、使用終了日４４とを含むものである。
【００４１】
発注先として選ばれた取扱業者の端末装置１Ｂは、型枠管理装置１Ａから送信された発注情報Ｈ（図１３）を通信部１２Ｂを介して受信する（図８ステップＳ１２）。この取扱業者は、その発注をしてきた型枠ユーザとの間でリース契約を結ぶか否かを判断する。この結果、リース契約を結んだ場合には、その取扱業者は、受信した発注情報によって特定された建築用型枠を探し出し、端末装置１Ｂによって、その探し出した建築用型枠に付された電子タグ３内の型枠管理情報２０を更新する（ステップＳ１３）。具体的には、該当する建築用型枠に付された電子タグ３に書込部１６Ｂを接近させることにより電子タグ３に対する情報書込み（使用履歴変更）を行う。この情報書込みは、電子タグ３の既存の記憶内容（使用履歴）に加えて、今回の受注により生ずる使用履歴（発注者、使用開始日、使用終了日のほか、使用中を示すステータスフラグ“Ｎ”も含む。）を追記する形で行う。
【００４２】
端末装置１Ｂの制御部１０Ｂは、電子タグ３の情報更新を行ったのち、その更新された型枠管理情報２０（更新された使用履歴）を読出部１５Ｂを介して再び読み出し（ステップＳ１４）、これを含む使用開始時更新通知を通信部１２Ｂを介して型枠管理装置１Ａへ送信する（ステップＳ１５）。この使用開始時更新通知は、発注情報に基づいて電子タグ３内の型枠管理情報２０を更新したことを知らせるコマンドと、電子タグ３における更新後の（読み出された）型枠管理情報２０とを含んで構成される。
【００４３】
型枠管理装置１Ａは、端末装置１Ｂから送信されてきた使用開始時更新通知を通信部１２Ａを介して受信し（ステップＳ１６）、この使用開始時更新通知から、更新後の型枠管理情報２０を抽出し、これに基づいて型枠データベース１１Ａ−２における該当する型枠に関する型枠管理情報２０の内容を更新する（ステップＳ１７）。このようにして、建築用型枠の提供時において、型枠データベース１１Ａ−２上の個々の建築用型枠２の型枠管理情報２０と、取扱業者１Ｂ−１〜１Ｂ−３等の保有する個々の建築用型枠２の電子タグ３に記憶された型枠管理情報２０との整合性が確保される。
【００４４】
型枠管理装置１Ａの制御部１０Ａはさらに、建築用型枠２の受注代行に係る手数料金（仲介手数料金）の支払いを請求する請求情報を生成し（ステップＳ１８）、通信部１２Ａを介して端末装置１Ｂへ送信する（ステップＳ１９）。これにより、型枠管理業者１Ａ−１は、取扱業者１Ｂ−１から手数料収入を得ることができる。
【００４５】
上記の注文が振り分けられた取扱業者１Ｂ−１等は、型枠管理装置１Ａからの発注情報によって特定され電子タグ３の情報更新の済んだ建築用型枠２を使用現場へ搬送して（ステップＳ２０）、型枠ユーザ１Ｃ−１の使用に供する（ステップＳ２１）。
【００４６】
型枠ユーザ１Ｃ−１がその建築用型枠２の使用を終了すると、取扱業者１Ｂ−１等は、その建築用型枠２を回収する（図９ステップＳ２２）。取扱業者１Ｂ−１等は、回収した建築用型枠２に付された電子タグ３の型枠管理情報２０を更新するための情報として、例えば、実際に使用が終了したことを表すステータスフラグ“Ｙ”や、使用環境、保守状況などの情報を端末装置１Ｂの入力部１４Ｂを介して入力する（ステップＳ２３）。端末装置１Ｂの制御部１０Ｂは、この型枠管理情報２０を受け付けると（ステップＳ２４）、これに基づいて、回収された建築用型枠２に付された電子タグ３内の型枠管理情報２０を書込部１６Ｂを介して更新する（ステップＳ２５）と共に、更新された型枠管理情報２０を読出部１５Ｂを介して電子タグ３から読み出す（ステップＳ２６）。この読み出された更新後の型枠管理情報２０を、使用終了時更新通知に含めて、通信部１２Ｂを介して型枠管理装置１Ａへ送信する（ステップＳ２７）。この使用終了時更新通知は、型枠管理情報２０が回収された事実を知らせるコマンドと、回収された建築用型枠２に係る更新後の型枠管理情報２０とを含むものである。
【００４７】
型枠管理情報２０の制御部１０Ａは、端末装置１Ｂから送信されてきた使用終了時更新通知を通信部１２Ａを介して受信して（図１０ステップＳ２８）、そこから、回収された建築用型枠２に係る更新後の型枠管理情報２０を抽出し、これに基づいて型枠データベース１１Ａ−２における該当する型枠に関する型枠管理情報２０の内容を更新する（ステップＳ２９）。このようにして、建築用型枠の回収後においても、型枠データベース１１Ａ−２上の個々の建築用型枠２の型枠管理情報２０と、取扱業者１Ｂ−１等の保有する個々の建築用型枠２に付された電子タグ３の型枠管理情報２０との整合性が確保される。
【００４８】
型枠管理装置１Ａの制御部１０Ａはさらに、型枠データベース１１Ａ−２に記憶された型枠管理情報２０に基づいて、建築用型枠２の使用可否を判定する（ステップＳ３０）。具体的には、使用回数や使用期間（あるいは、さらに使用環境、保守状況等）を所定の耐久基準に照らし、建築用型枠２が使用続行できるだけの強度や精度を保持しているか否かを判定する。そして、制御部１０Ａは、その判定結果を表示部１３Ａに表示する（ステップＳ３１）と共に、判定結果に基づいて型枠データベース１１Ａ−２内の該当する型枠管理情報２０を選択的に更新する（ステップＳ３２）。具体的には、使用不可と判定した場合に、その建築用型枠に関する型枠管理情報をデータベースから削除するか、あるいは、その型枠管理情報に使用不可のフラグを立てる等の処理を行う。この場合、制御部１０Ａは、その建築用型枠の使用を不可とする旨の使用不可通知を、通信部１２Ａを介して端末装置１Ｂへ送信する（ステップＳ３３）。一方、使用不可と判定しなかった場合には、特段の処理を行わない。
【００４９】
端末装置１Ｂは、上記の使用不可通知を通信部１２Ｂを介して受信すると（ステップＳ３４）、その使用不可通知に係る建築用型枠の型枠管理情報と共に、使用不可と判定された旨を表示部１３Ｂに表示する（ステップＳ３５）。これを見た取扱業者１Ｂ−１等は、該当する建築用型枠２を解体してリサイクルに廻すなど、適切な処理を行うこととなる。
【００５０】
このように、本実施の形態の型枠管理方法によれば、電子タグ３を用いて建築用型枠２をほぼリアルタイムで管理するようにしたので、型枠データベース１１Ａ−２上の個々の建築用型枠２の型枠管理情報２０と、取扱業者１Ｂ−１等の保有する個々の建築用型枠２に付された電子タグ３の型枠管理情報２０とを容易に整合させることができる。このため、型枠管理業者１Ａ−１は、型枠管理装置１Ａの型枠データベース１１Ａ−２に基づいて、多数の取扱業者１Ｂ−１等が保有する個々の建築用型枠２を容易に一元的に管理することが可能となる。これにより、型枠管理業者１Ａ−１にとっては、一般の型枠ユーザから建築用型枠を一手に受注すると共に、受注した建築用型枠を保有する取扱業者を容易に検索して、該当する取扱業者に注文を振り分けるという、受注代行業務（あるいは型枠提供仲介業務）を円滑かつ容易に実現することが可能となる。
【００５１】
また、型枠ユーザにとっては、所望のタイプの建築用型枠を保有している取扱業者を探す手間や、探し当てた取扱業者に個別に建築用型枠を発注する等の手間が不要となり、必要なタイプの建築用型枠を必要な数だけ型枠管理業者１Ａ−１に注文するだけで、所望の建築用型枠を容易に入手することが可能となる。
【００５２】
また、取扱業者にとっては、型枠ユーザからの要求に備えて多種多様な建築用型枠を予め保有しておく必要性が低くなり、過剰な在庫を抱えることを回避することが可能となる。
【００５３】
また、本実施の形態の型枠管理方法を採用することにより、プラスチック樹脂等のリサイクル可能な材料を用いて建築用型枠を構成した場合に、その流通段階におけるリサイクル管理を円滑かつ容易に行うことができる。このため、そのようなリサイクル可能な建築用型枠の普及を強力に押し進めることが可能となる。
【００５４】
また、建築用型枠を電子タグを用いて個別に管理するようにしたので、個々の建築用型枠についての高いトレーサビリティを実現することができる。したがって、建築用型枠の耐用限度管理を確実に行うことが容易となり、建築工程における型枠の信頼性や精度の確保を通じて、安全性の高い建築物の建設に大きく貢献することができる。
【００５５】
以上、上記実施の形態を挙げて本発明を説明したが、本発明は、これに限定されず、種々の変形が可能である。例えば、上記実施の形態では、型枠管理装置１Ａから端末装置１Ｂへの発注情報の送信に応じ、端末装置１Ｂの電子タグ３に対する情報更新を行った後に再びその更新後の型枠管理情報を読み出し、これを使用開始時更新通知に含めて型枠管理装置１Ａに送信すると共に、型枠管理装置１Ａがこの使用開始時更新通知から更新後の型枠管理情報を抽出し、これに基づいて型枠データベース１１Ａ−２の内容を更新するようにしたが、これには限られない。例えば、型枠管理装置１Ａは、端末装置１Ｂへ送信した発注情報を記憶部１１Ａに一時的に保存しておき、端末装置１Ｂから使用開始時更新通知を受信した時点で、その一時保存していた発注情報の内容に基づいて型枠データベース１１Ａ−２の内容を更新するようにしてもよい。この場合には、端末装置１Ｂは、電子タグ３への情報更新後における型枠管理情報の読み出しを行わず、したがって、使用開始時更新通知は、更新した事実を単に知らせるだけのコマンドだけでよい。
【００５６】
また、上記実施の形態では、型枠管理装置１Ａは、端末装置１Ｂから使用開始時更新通知が送信されてきた時点で、建築用型枠２の提供に係る手数料金（仲介手数料金）の支払いを請求する請求情報を生成して端末装置１Ｂへ送信するようにしたが、これに代えて、取扱業者の端末装置１Ｂに発注情報を送信した時点で請求情報を生成するようにしてもよい。
【図面の簡単な説明】
【００５７】
【図１】本発明の一実施の形態に係る型枠管理方法が適用される型枠管理システムの全体構成図である。
【図２】図１における型枠管理装置の概略構成図である。
【図３】図１における端末装置の概略構成図である。
【図４】建築用型枠およびそれに付された電子タグを表す斜視外観図である。
【図５】型枠データベースの一構成例を示す図である。
【図６】建築用型枠の耐用限度の判定基準テーブルの一例を示す図である。
【図７】型枠管理装置および端末装置の動作を説明するための流れ図である。
【図８】図７に続く流れ図である。
【図９】図８に続く流れ図である。
【図１０】図９に続く流れ図である。
【図１１】受注情報入力フォームが表示された様子を例示した図である。
【図１２】検索結果リストが表示された様子を例示した図である。
【図１３】発注情報の一構成例を表すものである。
【符号の説明】
【００５８】
１Ａ…型枠管理装置、１Ｂ…端末装置、１Ａ−１…型枠管理業者、１Ｂ−１〜１Ｂ−３…取扱業者、１Ｃ−１…型枠ユーザ、２…建築用型枠、３…電子タグ、１０Ａ，１０Ｂ…制御部、１１Ａ，１１Ｂ…記憶部、１１Ａ−１…型枠データベース、１１Ａ−２…型枠管理プログラム、１１Ｂ−１…端末プログラム、１２Ａ，１２Ｂ…通信部、１３Ａ，１３Ｂ…表示部、１４Ａ，１４Ｂ…入力部、１５Ｂ…読出部、１６Ｂ…書込部、２０…型枠管理情報、２１…型枠ＩＤ、２２…属性情報、２２Ａ…取扱業者、２２Ｂ…型枠タイプ、２２Ｃ…製造年月日、２３…使用履歴情報、２３Ａ…型枠ユーザ、２３Ｂ…使用開始日、２３Ｃ…使用終了日、２３Ｄ…ステータスフラグ、２３Ｅ…使用回数。
【図１】
2006291655.tif 000003
【図２】
2006291655.tif 000004
【図３】
2006291655.tif 000005
【図４】
2006291655.tif 000006
【図５】
2006291655.tif 000007
【図６】
2006291655.tif 000008
【図７】
2006291655.tif 000009
【図８】
2006291655.tif 000010
【図９】
2006291655.tif 000011
【図１０】
2006291655.tif 000012
【図１１】
2006291655.tif 000013
【図１２】
2006291655.tif 000014
【図１３】
2006291655.tif 000015